(57)【要約】【課題】振り出し式の釣竿を収納状態にしたときに、ガイド間で糸が詰まったり、撚れ等を生じ難くした釣竿を提供する。【解決手段】本発明の釣竿１は、第１ガイド５５のガイドリング支持枠７２と竿杆中心軸Ｘとの間の最も離間した距離をＨ１、最も基端にある元ガイド２１のガイドリング支持枠７２と竿杆中心軸Ｘとの間の最も離間した距離をＨｎとしたときに、Ｈｎ／Ｈ１が３以上であること、及び元竿杆に全ての竿杆を収納すると共に、スピニングリールから繰り出される釣糸Ｓを全ガイドに挿通し、かつ錘１００を竿杆中心軸Ｘに対して９０度の角度で釣糸先端に装着した状態で、竿杆中心軸Ｘと釣糸との傾きθが何れのガイド間、及び元ガイドとスピニングリール間で４５度以下であることを特徴とする。【選択図】    図８
2006204134.tif 000002
【特許請求の範囲】
【請求項１】
釣糸が挿通されるガイドリングと、このガイドリングを固定するガイドリング支持枠とを有するガイドを装着した複数の竿杆を有する振り出し式の釣竿であって、
前記各竿杆に装着されるガイドは、
前記ガイドの内、最も先端にあるトップガイドの次に位置する第１ガイドのガイドリング支持枠と竿杆中心軸との間の最も離間した距離をＨ１、最も基端にある元ガイドのガイドリング支持枠と竿杆中心軸との間の最も離間した距離をＨｎとしたときに、Ｈｎ／Ｈ１が３以上であること、
元竿杆に全ての竿杆を収納すると共に、スピニングリールから繰り出される釣糸を全ガイドに挿通し、かつ錘を竿杆中心軸に対して９０度の角度で釣糸先端に装着した状態で、竿杆中心軸と釣糸との傾きが何れのガイド間、及び元ガイドと前記スピニングリール間で４５度以下であること、
の条件を満足することを特徴とする釣竿。
【請求項２】
前記竿杆に繊維強化樹脂材料、又は樹脂材料で形成された筒状部材を装着し、
前記筒状部材に、前記ガイドのガイドリング支持枠を固定したことを特徴とする請求項１に記載の釣竿。
【請求項３】
前記元竿杆に全ての竿杆を収納した状態で、各ガイドの前端部と次ガイドの前端部までの間隔が、夫々１０〜２５ｍｍの範囲に設定したことを特徴とする請求項１又は２に記載の釣竿。
【請求項４】
前記筒状部材の内面テーパは、装着位置の竿杆外周の外面テーパよりも大きく、竿杆外周に対して軸方向に移動可能であることを特徴とする請求項２又は３に記載の釣竿。
【請求項５】
前記筒状部材は、繊維強化樹脂材料で形成されており、
その最内層は少なくともガラス繊維強化樹脂で形成されていることを特徴とする請求項２乃至４のいずれか１項に記載の釣竿。
【請求項６】
前記筒状部材は、繊維強化樹脂材料で形成されており、低弾性カーボン繊維強化樹脂層、又は不織布に合成樹脂を含浸した繊維強化樹脂層を有することを特徴とする請求項２乃至５のいずれか１項に記載の釣竿。
【発明の詳細な説明】
【技術分野】
【０００１】
本発明は、釣竿に関し、特に、スピニングリールを装着して渓流釣りを行なうのに好適な振り出し式の釣竿に関する。
【背景技術】
【０００２】
従来、渓流釣りを行なうに際しては、釣人は、頻繁に釣り場を移動するため、釣竿の全節を収納したとき、トップガイドの先端からグリップ部後端部までの長さ、いわゆる仕舞い寸法が短い釣竿が好まれている。すなわち、釣竿の全節を伸ばしたままで渓流や源流域を移動すると、仕掛け（ルアー等）や釣糸が木の枝に引っ掛かることがあるため、このような携帯性の良い仕舞寸法が短い釣竿をバックパックの中に収納する等して、釣り場を移動することが頻繁に行なわれる。
【０００３】
このように、全節の振り出しや収納を繰り返す釣竿には、例えば、特許文献１に開示されているような釣糸が挿通する挿通ガイド（以下、ガイドとする）が各節に装着されており、リール（特にスピニングリール）から繰り出された釣糸を案内するようにしている。また、一般的に、仕掛けが装着された釣竿では、上記したように全節の収納を行なうに際しては、一旦、全節を元竿に収納状態にした後、仕掛けが付いた釣糸を巻き取るようにしている。
【特許文献１】特開２００１−１６１２２５号
【発明の開示】
【発明が解決しようとする課題】
【０００４】
上記したような一般的な釣竿では、全節を元竿に収納状態にして、仕掛けが付いた釣糸をリールで巻き取ると、釣糸がガイド間に詰まることがある。これは、収納状態にあるときに、各ガイド間の距離が狭いこと、及び元側に移行するに従って、径の大きいガイドを設置することに起因しており、釣糸は、各ガイド間で不自然に屈曲されたり、ガイド間で絡まることもある。
【０００５】
また、仕舞い時に、竿杆中心軸に対する釣糸の角度が大きくなりすぎると、釣糸の巻取り時に釣糸に対する抵抗が大きくなって、釣糸に撚れが発生しやすくなる。特に、キャスティングを伴うスピニングリールタイプのルアー釣りにおいては、スピニングリールから出る螺旋状の釣糸の収束性を良くするために、元ガイドはリングの径が大きく、竿杆中心軸から大きく離間するのが一般的となっている。このため、仕舞い時にガイドの間隔が詰まっている場合には、釣糸角度が大きくなりやすく、上記した問題が起き易い。
【０００６】
本発明は、上記した問題に基づいてなされたものであり、振り出し式の釣竿を収納状態にしたときに、ガイド間で釣糸が詰まったり、撚れ等を生じ難くした釣竿を提供することを目的とする。
【課題を解決するための手段】
【０００７】
本発明は、上記した目的を達成するために、振り出し式の釣竿を元竿杆に収納状態にしたときに、穂先竿杆に装着されたトップガイドと、元ガイドとの間にある複数のガイドのバランスを工夫することによって上記した問題を解決している。
【０００８】
すなわち、本発明に係る釣竿は、釣糸が挿通されるガイドリングと、このガイドリングを固定するガイドリング支持枠とを有するガイドを装着した複数の竿杆を有する振り出し式の釣竿であって、前記各竿杆に装着されるガイドは、前記ガイドの内、最も先端にあるトップガイドの次に位置する第１ガイドのガイドリング支持枠と竿杆中心軸との間の最も離間した距離をＨ１、最も基端にある元ガイドのガイドリング支持枠と竿杆中心軸との間の最も離間した距離をＨｎとしたときに、Ｈｎ／Ｈ１が３以上であること、元竿杆に全ての竿杆を収納すると共に、スピニングリールから繰り出される釣糸を全ガイドに挿通し、かつ錘を竿杆中心軸に対して９０度の角度で釣糸先端に装着した状態で、竿杆中心軸と釣糸との傾きが何れのガイド間、及び元ガイドと前記スピニングリール間で４５度以下であること、の条件を満足することを特徴とする。
【０００９】
上記した構成において、第１ガイドと元ガイドとを、Ｈｎ／Ｈ１が３以上の関係となるように構成したことで、スピニングリールから繰り出される螺旋状の釣糸の収束性を良くすることが可能となり、複数のガイドのバランスを工夫することによって、釣糸の巻取り時に釣糸に対するガイド抵抗を小さくすることが可能となり、釣糸に撚れが発生することを抑制できる。
【００１０】
また、各ガイドを、元竿杆全てに竿杆を収納し、スピニングリールから繰り出される釣糸を全ガイドに挿通し、かつ錘を竿杆中心軸に対して９０度の角度で釣糸先端に装着した状態で、竿杆中心軸と釣糸との傾きが何れのガイド間、及び元ガイドと前記スピニングリール間で４５度以下になるように設定しているので、釣糸が、ガイド間で大きく屈曲するようなことがなく、収納時に釣糸に癖が付いたり、ガイド間で糸絡みすることが防止される。
【００１１】
なお、上記した構成において、振り出し式の釣竿に装着するスピニングリールは、一般的に渓流などでルアーフィッシングを行う際に装着されるものが該当し、リール脚の設置面からスプールまでの高さＨ（図２参照）が、９０〜１１５ｍｍの範囲の大きさのものが該当する。
【発明の効果】
【００１２】
本発明によれば、仕舞寸法が短い振り出し式の釣竿を収納状態にしたときに、ガイド間で釣糸が詰まったり、撚れ等を生じ難くした釣竿が得られるようになる。
【発明を実施するための最良の形態】
【００１３】
以下、本発明に係る釣竿の一実施形態を、添付図面を参照して具体的に説明する。  
図１は、本発明に係る釣竿の一実施形態を示す図であり、伸長状態を示す側面図、図２は、図１に示す釣竿の収納状態を示す側面図である。
【００１４】
本実施形態の釣竿１は、元竿杆１０、及び元竿杆１０に対して順次収納される振り出し式の竿杆（中間竿杆）２０，３０，４０と穂先竿杆５０を備えた構成となっており、上記したように、主に渓流などでルアーフィッシングを行なう際に適した構成となっている。
【００１５】
前記元竿杆１０の基端側には、握持保持されるグリップ１１及びリール（スピニングリール）９０が装着されるリールシート１２が設けられており、このリールシート１２の固定フード１３と移動フード１４との間にリール脚９１を設置し、移動ナット１５を回転操作して移動フード１４を固定フード側に対して進退させることで、リール９０を着脱できるように構成されている。
【００１６】
前記中間竿杆２０，３０，４０、及び穂先竿杆５０には、夫々スピニングリール９０から繰り出された釣糸を案内するガイド（本実施形態では、固定ガイド、及び移動ガイドの両方を備える）が装着されている。すなわち、本実施形態では、中間竿杆２０の先端に取り付けられた固定ガイド２１、中間竿杆３０の先端に取り付けられた固定ガイド３１、中間竿杆４０の先端に取り付けられた固定ガイド４１及びその中間に装着された移動ガイド４５、穂先竿杆５０の先端に取り付けられた固定ガイド（トップガイド）５１及びその中間に装着された移動ガイド５５，５６を備えた構成となっている。
【００１７】
そして、本実施形態の釣竿は、元竿杆１０に対して全ての竿杆２０，３０，４０，５０を収納した状態で、その仕舞寸法Ｌが短くなるように（本実施形態では４４ｃｍに構成されているが、仕舞寸法Ｌについては、３５〜５５ｃｍ程度が好ましい）構成されている。また、このような釣竿に用いられるスピニングリールは、その釣竿に適した大きさのもの、具体的には、リール脚９１の設置面からスピニングリール９０のスプール９５までの最大距離Ｈが、９０〜１１５ｍｍの範囲の大きさのものが使用される。
【００１８】
なお、実際の実釣時においては、釣り場を移動するとき等、元竿杆１０に各竿杆２０，３０，４０，５０を収納し、仕舞寸法とした状態でスピニングリールのハンドル９６を回転操作して釣糸を巻き取り、トップガイド５１の部分に仕掛けを手繰り寄せて釣糸が絡まないようにする。このとき、釣糸Ｓは、図２に示すように、各ガイドのガイドリングを挿通した状態となっている。
【００１９】
次に、上記した各ガイドの構成について、図３から図８を参照して説明する。これらの図において、図３は、竿杆に装着されるガイドの構成例を示す図、図４は、図３のＡ−Ａ線に沿った断面図、図５は、ガイドを固定する筒状部材の構成を示す図、図６は、図５のＢ−Ｂ線に沿った断面図、図７は、筒状部材の製造方法を説明する図、そして、図８は、釣竿の収納状態における各ガイドの配置構成例を示す側面図である。なお、図３及び図４では、ガイドとして、上記した移動ガイド４５を例示して説明するが、他の移動ガイドも同様な構成となっている。
【００２０】
図３及び図４に示すように、移動ガイド４５は、釣糸が挿通される円形のガイドリング７１と、ガイドリングを支持するガイドリング支持枠７２とを備えて構成されている。ガイドリング支持枠７２には、竿杆に対して略平行に延出する足部７３が一体形成されており、この足部７３を、竿杆４０に装着される筒状部材８０に対して、固定用の糸（固定部材）８１を巻回したり、固定用の樹脂テープを巻回等することで固定される。また、前記ガイドリング支持枠７２は、穂先側に向けて傾斜されており、釣糸が絡み難いように構成されている。
【００２１】
なお、固定ガイド２１，３１，４１については、上記したような筒状部材８０を介することなく、足部７３を直接竿杆の外周に糸巻きして、エポキシ樹脂やＵＶ樹脂を含浸して糸止め等することで竿杆外周面に固定される（糸止め部を符号７７で示す）。もちろん、固定ガイドは、上記した筒状部材８０を竿杆外周面に固定することで構成しても良い。
【００２２】
前記筒状部材８０は、竿杆４０に対して摺動自在となるように構成されている。この場合、筒状部材８０は、繊維強化樹脂材料、例えば、カーボン、ガラス、不織布に樹脂を含浸し、これを熱硬化した材料で一体形成されていたり、或いは、ポリアミド樹脂、ＡＢＳ樹脂、ポリカーボネート樹脂、ポリアセタール樹脂、ポリ塩化ビニル樹脂等の樹脂材料を射出成型することで形成されている。
【００２３】
例えば、上記した筒状部材８０は、図７に示すように、ストレート状の芯金８２に対して、ガラス繊維を織布状にして合成樹脂を含浸したプリプレグシート８４を内層となるように巻回し、その上から、カーボン繊維を軸長方向に引き揃えて合成樹脂を含浸したプリプレグシート８５、及びこれに裏打ちされたスクリムクロス（ガラス繊維を織布状にして合成樹脂を含浸したプリプレグシート）８６を巻回した後、これを熱硬化し、その後、脱芯することによって管状の母材を形成し、そして、このような工程によって形成された細長状の管状の母材を、後述するような所定の長さにカットすることで形成することが可能である。
【００２４】
なお、上記した筒状部材８０を形成する材料は、一例を示したに過ぎず、例えば、上記した構成では、プリプレグシート８５とスクリムクロス８６は、いずれが外層になるように構成されていても良い。また、各プリプレグシートは、予め全て張り合わせておいても良いし、順番にローリングしても良い。
【００２５】
上記した筒状部材８０を繊維強化樹脂材料で形成する場合、プリプレグシート８５の強化繊維は、例えば、低弾性のカーボン繊維（曲げ弾性率が１０００〜２００００ｋｇｆ／ｍｍ2 程度）を用いることが好ましい。このような低弾性のものを用いることで、竿杆の曲がりを阻害（ガイド部のつっぱりを抑制する）することがなくなる。また、上述したように、内層側にガラス繊維による繊維強化樹脂材料（プリプレグシート８４）を配設することで、その内周面の加工性が良くなって後述するテーパ加工がし易くなると共に、竿杆外周面に傷を付け難くすることができる。そして、筒状部材８０を上述したような繊維強化樹脂材料で形成することにより、ガイドトータルの軽量化も図れるようになる。
【００２６】
上記したようにして形成される筒状部材８０は、その内面をテーパ状に切削加工することで、各竿杆の外周面に装着される。この場合、元竿杆側に向けて拡径するように切削することでテーパ８０Ｔが形成され、そして、そのテーパ８０Ｔは、装着位置の竿杆外周の外面テーパよりも大きくなるように形成することが好ましい。本実施形態においては、テーパは、５／１０００（３／１０００〜７／１０００）とされており、竿杆外周のテーパ（２．０／１０００〜２．７／１０００）よりも大きくなるように形成されている。
【００２７】
筒状部材８０の内面テーパ８０Ｔを、上記したように形成することで、竿杆外周面と面接触し難くなり、移動ガイドの場合、固着を防止して、竿杆収納時にスムーズに移動することが可能となる。なお、上記したテーパ８０Ｔは、筒状部材の内周面を切削加工することで形成したが、図７に示す芯金８２の外周に、予め所定のテーパを持たせておいても良い。
【００２８】
以上のような構成において、上記した移動ガイド４５，５５，５６における筒状部材８０の軸方向長さ、固定ガイド２１，３１，４１における糸止め部７７の軸方向長さ、及び各ガイドの高さについては、図８に示すように設定されている。
【００２９】
この場合、上記した竿杆外周に装着される筒状部材８０、及び糸止め部７７は、各竿杆に対して径方向に膨出することから、元竿杆１０に全ての竿杆を収納すると、図８に示すように、各筒状部材８０及び糸止め部７７によって、各ガイド間に所定の長さが確保されるようになる。また、筒状部材８０を配設したことにより、単にその長さを変更するだけで、容易にガイド間の距離を好ましい状態に設定することが可能になる。
【００３０】
具体的に、上記した筒状部材８０及び糸止め部７７は、元竿杆１０に全ての竿杆を収納すると共に、スピニングリールから繰り出される釣糸Ｓを全ガイド２１，３１，４５，４１，５６，５５及びトップガイド５１に挿通し、かつ錘１００を竿杆中心軸Ｘに対して９０度の角度で釣糸先端に装着した状態で、竿杆中心軸Ｘと釣糸との傾き（θ）が何れのガイド間、及び固定ガイド（元ガイド）２１とスピニングリール間で４５度以下、好ましくは４０度以下となるように設定されている。
【００３１】
すなわち、各ガイド部分において、上記した条件が満足されていることにより、釣糸が、ガイド間で大きく屈曲するようなことがなくなって、収納時に釣糸に癖が付いたり、ガイド間で糸絡みすることが防止される。また、ガイド間の距離が長くなることから、糸通し作業が行ない易くなると共に、ガイドの竿杆に対するガタ付きが減少して糸通し作業が行ない易くなる。
【００３２】
なお、筒状部材８０や糸止め部７７の軸方向長さを長くすることにより、上記したθの角度を更に小さくすることが可能であるが、これらの部材を長くし過ぎると、逆に、仕舞寸法Ｌが長くなって、持ち運びの利便性が損なわれたり、或いは、ガイド部分のトータル重量（筒状部材８０、糸止め部７７、ガイドリング支持枠、ガイドリングの各重量）が増えてしまい、釣竿が重くなって、釣竿の機能を損なってしまう等の問題が発生する。
【００３３】
このため、本実施形態においては、筒状部材８０及び糸止め部７７の夫々の軸方向長さを、各ガイドの前端部Ｐ同士間隔Ｒが、夫々１０〜２５ｍｍの範囲となるように設定されている。具体的には、このような条件が満足されるように、移動ガイド５５，５６の筒状部材８０の長さを１４±０．５ｍｍ、移動ガイド４５の筒状部材８０の長さを１６±０．５ｍｍに設定してあり、固定ガイド３１，４１の糸止め部７７の長さを、固定ガイド３１については１６ｍｍ、固定ガイド４１については１３ｍｍに設定してある。
【００３４】
また、本実施形態では、上記したガイドの内、最も先端にあるトップガイド５１の次に位置する第１ガイド（移動ガイド）５５のガイドリング支持枠７２と竿杆中心軸Ｘとの間の最も離間した距離をＨ１、最も基端にある元ガイド（固定ガイド）２１のガイドリング支持枠７２と竿杆中心軸Ｘとの間の最も離間した距離をＨｎとしたときに、Ｈｎ／Ｈ１が３以上、好ましくは、５以上となるように構成されている。
【００３５】
このように、第１ガイドと元ガイドとを、Ｈｎ／Ｈ１が３以上の関係となるように構成されている釣竿において、上述の構成により、使用時において、元ガイド２１への釣糸の導入角度を小さくして、釣糸の巻取り時に釣糸Ｓに対するガイド抵抗を小さくすることが可能となり、釣糸に撚れが発生することを抑制でき、また、スピニングリールから繰り出される螺旋状の釣糸の収束性を良くすることが可能となる。
【００３６】
以上、本発明の実施形態について説明したが、本発明は、上記した実施形態に限定されることはなく、種々変形することが可能である。本発明では、振り出し式の釣竿の仕舞時において、上述した条件が満足されるものであれば良く、振り出される節数、ガイドの設置個数、ガイドの構成については、適宜変形することが可能である。
【図面の簡単な説明】
【００３７】
【図１】本発明に係る釣竿の一実施形態を示す図であり、伸長状態を示す側面図。
【図２】図１に示す釣竿の収納状態を示す側面図。
【図３】竿杆に装着されるガイドの構成例を示す図。
【図４】図３のＡ−Ａ線に沿った断面図。
【図５】ガイドを固定する筒状部材の構成を示す図。
【図６】図５のＢ−Ｂ線に沿った断面図。
【図７】筒状部材の製造方法を説明する図。
【図８】釣竿の収納状態における各ガイドの配置構成例を示す側面図。
【符号の説明】
【００３８】
１  釣竿
１０  元竿杆
２０，３０，４０  竿杆（中間竿杆）
５０  竿杆（穂先竿杆）
２１，３１，４１  固定ガイド
４５，５５，５６  移動ガイド
５１  トップガイド
７１  ガイドリング
７２  ガイドリング支持枠
７７  糸止め部
８０  筒状部材
９０  スピニングリール
１００  錘
【図１】
2006204134.tif 000003
【図２】
2006204134.tif 000004
【図３】
2006204134.tif 000005
【図４】
2006204134.tif 000006
【図５】
2006204134.tif 000007
【図６】
2006204134.tif 000008
【図７】
2006204134.tif 000009
【図８】
2006204134.tif 000010